(57)【要約】【課題】ブック原稿やリングファイル等でファイリングされた原稿を取り外さず其のまま読み取る事を可能とする。【解決手段】原稿台の角を加工することで其の角を使いブック原稿やリングファイル等でファイリングされた原稿を取り外さず其のまま読み取る事を可能にした。【選択図】図４
2007184739.tif 000002
【特許請求の範囲】
【請求項１】
原稿台の角を使う事によりブック原稿の読み取りや、リングファイル等でファイリングされた原稿を取り外さず其のまま読み取る事を可能とするフラットベッド型原稿読取装置に於いて、本体の主走査方向の読み取る側の外側上部分の角の一部を着脱式にし、又、上記本体の原稿台の主走査方向の読み取る側のルーラーを着脱式にし、更に、上記本体の原稿台のガラスプレートを、上記本体の主走査方向の読み取る側の外側上部分の角の一部を取り外した後の本体の上部分の外側一杯迄広くしその角にプロテクターを兼ねたガラス押さえを取り付けた事を特徴とするフラットベッド型原稿読取装置。
【請求項２】
原稿台の角を使う事によりブック原稿の読み取りや、リングファイル等でファイリングされた原稿を取り外さず其のまま読み取る事を可能とするフラットベッド型原稿読取装置に於いて、本体の主走査方向の読み取る側の操作盤と折畳式にした上記本体の主走査方向の読み取る側の外側上部分の角の一部と上記本体の原稿台の主走査方向の読み取る側のルーラーを一体型にして引き出し式にする事を特徴とするフラットベッド型原稿読取装置。
【発明の詳細な説明】
【技術分野】
【０００１】
本発明は、原稿台の角を使う事によりブック原稿の読み取りや、リングファイル等でファイリングされた原稿を取り外さず其のまま読み取る事を可能とするフラットベッド型原稿読取装置に関するものである。
【背景技術】
【０００２】
原稿台の角を使ってブック原稿を読み取ることが出来るフラットベッド型原稿読取装置には、（１）光源にLEDを使用し原稿台を上面から側面にかけて一体型にし上面と側面を同時に読み取る事が出来るフラットベッド型原稿読取装置。と、（２）読み取りユニットの主走査方向の読み取る側を上に上げ斜めにしてその原稿台の角を使って読み取る事が出来るフラットベッド型原稿読取装置。があり、又、（３）本体の主走査方向の読み取る側の上面から側面にかけた角の一部をスライド式にしたフラットベッド型原稿読取装置。が其々ある。
【特許文献１】特開  平４−３０１５４号公報
【特許文献２】実開  昭６３−１４７０６１号公報
【特許文献３】特開  ２０００−３２１９４号公報
【発明の開示】
【発明が解決しようとする課題】
【０００３】
（１）の場合、原稿台のガラスプレートが上面から側面に掛けて一体型になっており上面と側面を同時に読み取れる、とあるが原稿台のガラスプレートの上面と側面の境目まで歪み無く綺麗に読み取れるようにするには原稿台とＣＣＤセンサーとレンズ面を平行にしなければならなくなりそうすると上面だけを読み取る場合でも図９のように結像レンズに包括角度が９０度以上の超広角レンズが必要となり、又、両面を同時に読み取るには図１０のように結像レンズをシフトしなければならなくなりそうすると包括角度のより広い超広角レンズが必要となり綺麗に読み取ることが出来ない。翻って上面のみで読み取り範囲を側面のガラスプレートの内側一杯迄とした場合でも、ガラスプレートが上面から側面に架けて非常に広くなっている為強度を持たせるにはガラスプレートを相当厚くしなければならない、しかし、そうすると読み取れない範囲が広くなってしまい、しかも、側面がガラスの為余分な光が反射し結像レンズに入る為画像を綺麗に読み取る事が出来ない。尚、ガラスプレートの上面と側面の境目が剥き出しになっている為取り扱いが大変である。
【０００４】
（２）の場合、読み取りユニットの主走査方向の読み取る側を上に上げ斜めにしてその原稿台の角を使って読み取る。とあるが読み取る側のシャーシーを内側に曲げてあり読み取れない範囲がかなり広くなっている。尚、原稿台のガラスプレートの角が剥き出しになっている為取り扱いが大変である。
【０００５】
（３）の場合、本体の主走査方向の読み取る側の上面から側面にかけた角の一部をスライド式にしているがスライドした後の本体の其の部分が斜めになっていて角を使ってのブック原稿の読み取は出来ない。原稿台の角を使うと言うよりも原稿台の端を使い原稿台からスライドした本体の一部に架けてブック原稿を広げて伏せて読み取るようになっている、しかし、この方法では原稿台の上に広げて伏せた場合と殆んど変わらない。
【課題を解決するための手段】
【０００６】
原稿台の角を使う事によりブック原稿の読み取りやリングファイル等でファイリングされた原稿を取り外さず其のまま読み取る事を可能とするフラットベッド型原稿読取装置に於いて、読み取れない範囲を極力少なくする為、本体の主走査方向の読み取る側の外側上部分の角の一部を着脱式にし取り外した時本体のその部分の厚みが薄くなるようにし、又、上記の本体の原稿台の読み取る側のルーラーを着脱式にし取り外した時原稿台のその部分が平らになるようにし、更に、上記本体の原稿台のガラスプレートを、上記本体の主走査方向の読み取る側の外側上部分の角の一部を取り外した後の本体の上部分の外側一杯迄広くしその角にプロテクターを兼ねたガラス押さえを取り付ける。
【０００７】
操作盤が主走査方向の読み取る側にある場合、本体の主走査方向の読み取る側の操作盤と折畳式にした上記本体の主走査方向の読み取る側の外側上部分の角の一部と上記本体の原稿台の主走査方向の読み取る側のルーラーを一体型にして引き出し式にする。
以上により、原稿台の角を使ってブック原稿の読み取りや、リングファイル等でファイリングされた原稿を取り外さず其のまま読み取る事が可能となる。
【発明の効果】
【０００８】
これにより、原稿台の角を使ってブック原稿を読み取る場合ブック原稿のノド付近まで原稿台に密着させることが出来るこの為ブック原稿の最も重要なノド付近の文章まで歪みなく綺麗に読み取る事が出来る、又、リングファイル等でファイリングされた原稿でも図６のようにリング付近まで密着させることが出きる為リング付近まで歪み無く綺麗に読み取る事が出来る。
【発明を実施するための最良の形態】
【０００９】
図４のように操作盤を引き出す事で簡単にブック原稿の読み取りができ、しかも、原稿台の角にプロテクターを兼ねたガラス押さえを取り付けてある為、金属で出来たリングファイル等でファイリングされた原稿等でも取り外さず其のまま気軽に読み取る事が出来る。
【実施例１】
【００１０】
図２は、図１の４と５を取り外し原稿台の角にブック原稿のノド部（図５の９）を合わせるように伏せながら原稿台に密着させ読み取っている図である、この場合図５のようにノド部まで完全に原稿台に密着させることが出来ない場合もあるが最も重要なノド付近の文章のある所までは密着させることが出来るこの為ノド付近まで綺麗に読み取る事が出来る。
【実施例２】
【００１１】
図４は図３の４と５と８を一体型にしてそれを引き出して実施例１の図２ように読み取っている図である。尚、読み取り易くする為図７のように５を下に曲げている。
【産業上の利用可能性】
【００１２】
ブック原稿ばかりではなくリングファイル等でファイリングされた原稿を取り外さず其のまま読み取る事出来る為オフィス等で重宝である。
【図面の簡単な説明】
【００１３】
【図１】本発明の原稿読取装置の斜視図。但し、原稿カバー、操作ボタン等は省略
【図２】本を読み取り中の本発明の原稿読取装置の斜視図。但し、原稿カバー、操作ボタン等は省略 （実施例１）
【図３】引き出し式の操作盤の付いた本発明の原稿読取装置の斜視図。但し、原稿カバー、操作盤上の操作ボタン等は省略
【図４】本を読み取り中の引き出し式の操作盤の付いた本発明の原稿読取装置の斜視図。但し、原稿カバー、操作盤上の操作ボタン等は省略 （実施例２）
【図５】図２の中央右付近の横方向の拡大端面図（略図）但し、内部機構は省略
【図６】図５の本をリングファイルに変えた場合の拡大端面図（略図）但し、内部機構は省略
【図７】図４の中央右付近の横方向の拡大端面図（略図）但し、内部機構は省略
【図８】図１の中央部縦方向の端面図（略図）但し、ＣＣＤセンサー、結像レンズ、ミラー、光源以外の内部機構は省略
【図９】上面で読み取り中の上面と側面に原稿台が付いた原稿読取装置の読み取る側の主走査方向の拡大端面図（略図）但し、ＣＣＤセンサー、結像レンズ以外の内部機構と原稿カバーは省略
【図１０】上面と側面で同時に読み取り中の上面と側面に原稿台が付いた原稿読取装置の読み取る側の主走査方向の拡大端面図（略図）但し、ＣＣＤセンサー、結像レンズ以外の内部機構と原稿カバーは省略
【符号の説明】
【００１４】
１    本体
２    ルーラー
３    ガラスプレート
４    着脱式ルーラー
５    着脱式本体（一部）
６    ガラス押さえ
７    ブック原稿
８    操作盤
９    ノド
１０  リングファイル
１１  平原稿
１２  ミラー
１３  光源
１４  結象レンズ
１５  ＣＣＤセンサー
【図１】
2007184739.tif 000003
【図２】
2007184739.tif 000004
【図３】
2007184739.tif 000005
【図４】
2007184739.tif 000006
【図５】
2007184739.tif 000007
【図６】
2007184739.tif 000008
【図７】
2007184739.tif 000009
【図８】
2007184739.tif 000010
【図９】
2007184739.tif 000011
【図１０】
2007184739.tif 000012